(57)【特許請求の範囲】
【請求項１】
室内（２）の所定壁面（２１）に沿って設置される壁面家具（１）の一方の側面（１１）と上記室内（２）の側壁面（２２）との間の余剰空間部（Ｓ）において上記壁面家具側面（１１）に隣接して設置される壁面家具用のサイドボックスであって、
上記壁面家具側面（１１）に対面して配置される側板（３３）と所定小幅の背板（３４）とを平面視Ｌ型に組付けて、前面部（３１）と上記室内側壁面（２２）に向く一方の側面部（３２）とがそれぞれ開放された縦長のボックス本体（３０）を形成している一方、
上記ボックス本体（３０）の上記側板（３３）の前縁部に該ボックス本体（３０）の上記前面部（３１）を開閉する扉板（３８）を取付けている、
ことを特徴とする壁面家具用のサイドボックス。
【請求項２】
請求項１において、
上記扉板（３８）は扉幅（Ｌ）が異なる複数種類のものを準備しておき、壁面家具（１）を室内（２）の所定壁面（２１）に沿って設置したときの壁面家具側面（１１）と室内側壁面（２２）との間に形成される余剰空間部（Ｓ）の間口幅（Ｗ）に応じた扉幅（Ｌ）の扉板（３８）をボックス本体（３０）に取付け得るようにしている、
ことを特徴とする壁面家具用のサイドボックス。
【発明の詳細な説明】
【技術分野】
【０００１】
本願発明は、室内の所定壁面に沿って設置される壁面家具用のサイドボックスに関するものである。尚、本願でいう壁面家具とは、食器棚、箪笥類、キャビネット等と称されるものを含み、室内の１つの壁面に沿って設置される比較的大型のものである。
【背景技術】
【０００２】
壁面家具と称されるものとして、例えば薄型大画面テレビを収納し得るテレビボードを組み込んだ大型の家具がある。そして、この種の大型の壁面家具は、室内の１つの壁面の中央寄り位置に設置されることが多いが、その場合には、該壁面家具の側面と室内の側壁面との間に所定間口幅の余剰空間部ができることが多い。
【０００３】
ところで、壁面家具を設置した状態で、壁面家具の側面と室内の側壁面との間にかなり大きな間口幅の余剰空間部があると、インテリアデザイン的に好ましくないとともに、該余剰空間部に物品を置いた場合に該物品が露出して見栄えが悪くなる。
【０００４】
そこで、公知の特許文献の中には、例えば特開２０１０−１４８７９３号公報（特許文献１）に示されるように、壁面家具の側面と室内の側壁面との間に形成される余剰空間部の前面部分を扉板で閉塞し得るようにしたものがある。この扉板は、目隠し用として機能するもので、壁面家具の側面の前縁部分に蝶番で開閉自在に取付けられている。
【先行技術文献】
【特許文献】
【０００５】
【特許文献１】特開２０１０−１４８７９３号公報
【発明の概要】
【発明が解決しようとする課題】
【０００６】
ところで、上記特許文献１の壁面家具では、上記扉板が上記余剰空間部の目隠し部材となるものの、該余剰空間部を収納容器として利用し得るものではない。即ち、該余剰空間部内に物品を収納した状態で、該余剰空間部の前面部分を扉板で閉塞することができるものの、該扉板は単に目隠し部材となるだけであり、該扉板があっても余剰空間部が収納容器として機能するものではない。
【０００７】
そこで、本願発明は、室内壁面に設置した壁面家具の側面と室内の側壁面との間に形成される余剰空間部を収納容器として機能させることができるようにするとともに、該余剰空間部に設置することで見栄えを低下させることなく一部の部材を省略（部品点数を少なく）できるようにした、壁面家具用のサイドボックスを提供することを目的としてなされたものである。
【課題を解決するための手段】
【０００８】
本願発明は、上記課題を解決するための手段として次の構成を有している。
【０００９】
［本願請求項１の発明］
本願請求項１の発明は、室内の所定壁面に沿って設置される壁面家具の一方の側面と室内の側壁面との間の余剰空間部において壁面家具側面に隣接して設置される壁面家具用のサイドボックスを対象にしたものである。
【００１０】
そして、本願請求項１のサイドボックスは、上記壁面家具側面に対面して配置される側板と所定小幅の背板とを平面視Ｌ型に組付けて、前面部と室内側壁面に向く一方の側面部とがそれぞれ開放された縦長のボックス本体を形成している一方、該ボックス本体の側板の前縁部に該ボックス本体の前面部を開閉する扉板を取付けていることを特徴としたものである。
【００１１】
この請求項１のサイドボックスには、上下方向の所定高さ位置に適数段（例えば１〜３段）の棚板を設けることができる。又、このサイドボックスは、上下に分割（例えば２分割）したものを段積みして構成したものでもよい。
【００１２】
ボックス本体に使用される背板の幅は、ボックス本体の保形性（剛性）や自立性を確保できるものであればよく、扉板の幅（扉幅）よりかなり小さいものでもよい（例えば扉板の幅が３０〜５０cmであるのに対して背板の幅は２０cm程度でもよい）。
【００１３】
そして、この請求項１のサイドボックスは、室内壁面に設置された壁面家具の側面と室内の側壁面との間に形成される余剰空間部において、ボックス本体の側板が壁面家具側面に隣接する状態で設置される。その場合、扉板の開放側端部を室内側壁面に近づけるようにして、サイドボックス及び壁面家具を設置するようにすると、上記余剰空間部の残余の隙間が小さくなって見栄えがよくなる。
【００１４】
このサイドボックスでは、扉板を開放することでボックス本体内に物品を収納できるので、収納容器として機能する。
【００１５】
ところで、このサイドボックスを上記余剰空間部に設置した状態では、ボックス本体における室内の側壁面に向く側面部は開放されたままであるが、このサイドボックスを扉板の開放側端縁が室内の側壁面に近づく状態で設置することにより、ボックス本体における室内側壁面に向く開放側の側面部が室内から見えなくなる。従って、ボックス本体における室内側壁面に対面する側の側板が無いものであっても、サイドボックス内に収納される物品が室内から見えなくなる。
【００１６】
［本願請求項２の発明］
本願請求項２の発明は、上記請求項１の壁面家具用のサイドボックスにおいて、扉板は扉幅が異なる複数種類のものを準備しておき、壁面家具を室内の所定壁面に沿って設置したときの壁面家具側面と室内側壁面との間に形成される余剰空間部の間口幅に応じた扉幅の扉板をボックス本体に取付け得るようにしたものである。
【００１７】
因に、壁面家具を室内壁面に設置する際に、該壁面家具を室内側壁面からどれだけ離間させるかによって、壁面家具側面と室内側壁面との間に形成される余剰空間部の間口幅が異なるが、この請求項２では、ボックス本体に取付ける扉板として扉幅が異なる複数種類のものを準備しておくことにより、顧客が希望する壁面家具設置状況（余剰空間部の間口幅）に対応した扉幅の扉板を採用することができる。尚、扉板としては、扉幅が２０cm〜５０cm程度の範囲で該扉幅が異なる３〜４種類のものを用意しておくとよい。
【発明の効果】
【００１８】
［本願請求項１の発明の効果］
本願請求項１のサイドボックスは、次のような効果を有している。
【００１９】
(1) 側板と背板と扉板とを有したボックス型であるので、収納容器としての機能を有しており、このサイドボックスを上記余剰空間部に設置することで該ボックス内に物品を整頓した状態で収納できる。特に、ボックス本体内に棚板を設けたものでは、上下の各スペースにそれぞれ物品を収納できるので、収納効率がよくなる。
【００２０】
(2) 壁面家具の側面と室内の側壁面との間の余剰空間部に設置することで、室内の側壁面に対面する側が開放されたもの（一方の側板が無いもの）であっても、室内からサイドボックス内の収納物品を見えなくできる（見栄えが悪くならない）。
【００２１】
(3) ボックス本体における室内の側壁面に対面する側の側板を省略しているので、ボックス内の収納物品を見えなくできるという機能を確保した上で、サイドボックス全体の資材コストを低減できる。
【００２２】
［本願請求項２の発明の効果］
本願請求項２の発明では、上記請求項１のサイドボックスにおいて、ボックス本体に取付ける扉板として扉幅が異なる複数種類のものを準備しておき、顧客の希望によって所定扉幅の扉板を採用し得るようにしている。
【００２３】
従って、この請求項２のサイドボックスでは、上記請求項１の効果に加えて、顧客ごとの壁面家具設置状況（余剰空間部の間口幅）に対応した扉幅の扉板を採用することで、サイドボックスを見栄え良く（余剰空間部の残余幅を小さくした状態で）設置することができるという効果がある。
【図面の簡単な説明】
【００２４】
【図１】本願実施例のサイドボックスを壁面家具側面と室内側壁面との間の余剰空間部に設置した状態の全体斜視図である。
【図２】図１の一部拡大正面図である。
【図３】図１のサイドボックスの拡大左側面図である。
【図４】図２のIV−IV拡大断面図である。
【図５】図１の実施例で使用されているサイドボックスの分解斜視図である。
【発明を実施するための形態】
【００２５】
［実施例］
図１〜図５を参照して本願実施例の壁面家具用のサイドボックスを説明すると、このサイドボックス３は、室内２の１つの壁面２１に沿って設置される壁面家具１の側面１１と室内２の側壁面２２との間の余剰空間部Ｓにおいて、壁面家具側面１１に隣接して設置されるものである。尚、この実施例で採用されている壁面家具１及びサイドボックス３は、それぞれ木製である。
【００２６】
この実施例（図１）で使用されている壁面家具１は、いくつかの単位家具１Ａ〜１Ｇを上下及び左右に組付けて、例えば高さが２ｍ強、左右幅が約２.５ｍ、奥行幅が３０〜４０cm程度の大きさに構成したものを採用している。尚、この実施例の壁面家具１では、そのほぼ中央寄り部分に薄型大型テレビを収容し得るテレビボード（符号１Ｅ）を配置しており、その周りに各種用途の単位家具を配置している。
【００２７】
この種の壁面家具１は、室内２の１つの壁面２１に沿って設置されるが、その場合、該壁面家具１はインテリアデザイン上、室内設置壁面２１の中央寄り位置に設置されることが多い。そして、壁面家具１を室内設置壁面２１の中央寄り位置に設置した場合には、その壁面家具１の側面（図示例では左側面）１１と室内２の側壁面２２との間に余剰空間部Ｓが形成される。
【００２８】
この余剰空間部Ｓは、そのままではインテリアデザイン的に好ましくないとともに、該余剰空間部Ｓに物品を置くと該物品が露出して見栄えが悪くなる。
【００２９】
そこで、本願実施例のサイドボックス３は、該余剰空間部Ｓを塞いでインテリアデザインを良好にするとともに、該余剰空間部Ｓを物品収納部として有効利用するために開発されたものである。
【００３０】
この実施例のサイドボックス３は、図１〜図３（及び図５）に示すように、上下に２分割した上ボックス３Ａと下ボックス３Ｂとを上下に段積みしたものである。
【００３１】
上ボックス３Ａ及び下ボックス３Ｂは、それぞれ側板３３と背板３４とを平面視Ｌ型に組付けてなるボックス本体３０，３０にそれぞれ扉板３８を開閉自在に取付けて構成している。尚、以下に示す各寸法は、それぞれ参考程度のものであって、実際には用途に合った各種寸法に設定できるものである。
【００３２】
上ボックス３Ａは全体高さが約６０cmであり、下ボックス３Ｂは全体高さが約１４７cmである。そして、このサイドボックス３は、上下両ボックス３Ａ、３Ｂを上下に段積みするとともに、上ボックス３Ａの上面に天板３５を取付けて構成される。尚、このサイドボックス３の全体高さは、壁面家具１の高さと同じである。
【００３３】
上ボックス３Ａと下ボックス３Ｂにおいて、各側板３３，３３の奥行幅は壁面家具１の奥行幅と同じに設定されている。尚、この実施例の場合は、各側板３３，３３の奥行幅は約３４cmである。
【００３４】
他方、上ボックス３Ａと下ボックス３Ｂの各背板３４，３４の左右幅は、所定小幅のものでよく、この実施例の場合は、各背板３４，３４の左右幅は約１８cmである。尚、上下の各ボックス本体３０，３０としての左右幅は、それぞれ背板３４の幅１８cmと側板３３の厚さ２cmとを合わせた約２０cmである。
【００３５】
上ボックス３Ａのボックス本体３０には、その上下各端部に側板３３と背板３４に跨がってそれぞれ補強板３６，３６が取付けられている。下ボックス３Ｂのボックス本体３０には、その上端部と中間高さ位置とに側板３３と背板３４に跨がってそれぞれ補強板３７，３７が取付けられている。尚、この実施例のサイドボックス３では、上ボックス３Ａの下側補強板３６と下ボックス３Ｂの中間高さ位置にある補強板３７とが棚板として機能する。
【００３６】
上下の各ボックス本体３０，３０は、各前面部３１，３１と室内側壁面２２に向く各側面部３２，３２とがそれぞれ上下全長に亘って開放されている。そして、上下各ボックス本体３０．３０の側板３３，３３の前縁部には、上下各ボックス本体のそれぞれ前面部３１，３１を開閉する扉板３８，３８が取付けられていて、各側のボックス本体３０，３０と各扉板３８，３８とでそれぞれ上ボックス３Ａと下ボックス３Ｂを構成している。尚、上ボックス３Ａ側の扉板３８は１枚であるが、下ボックス３Ｂ側の扉板３８は棚板となる補強板３７部分を境にして上下２枚に分割したものを使用している。
【００３７】
上ボックス３Ａと下ボックス３Ｂの各扉板３８，３８，３８は、ボックス本体３０の側板３３の前縁部においてそれぞれ上下２箇所を蝶番４１，４１で枢支していることにより、ボックス本体３０の前面部３１を閉塞する位置（各図における実線図示位置）と該前面部３１を開放する位置（図１、図３、図４に符号３８′で示す鎖線図示位置）との間で弧回動開閉自在に取付けている。尚、各扉板３８は、閉塞状態では扉板裏面が補強板３６（又は３７）の前面に衝合するが、側板３３の内面には該各扉板３８を閉じた際の衝撃を緩和するためのクッション材４２（それぞれ扉板ごとにある）を取付けている。
【００３８】
この実施例のサイドボックス３（上ボックス３Ａと下ボックス３Ｂ）は、図１〜図４に示すように、室内２の１つの壁面２１に沿って設置された壁面家具１の一方（左側）の側面１１と室内２の側壁面２２との間に形成される余剰空間部Ｓに配置して使用される。その場合、扉板３８の開放側端部３８ａ（図２及び図４）を室内側壁面２２に近づけるようにして、サイドボックス３及び壁面家具１を設置するようにすると、余剰空間部Ｓの残余幅を可及的に狭くできるので、設置状態での見栄えがよくなる。
【００３９】
このようにして設置したサイドボックス３は、各扉板３８を開放することで各ボックス本体３０，３０内に物品を収納できるので、該ボックス本体３０，３０が収納容器として機能し、ボックス内に物品を整頓した状態で収納できる。特に、ボックス本体３０，３０内に棚板３６，３７を設けたものでは、上下の各スペースにそれぞれ物品を収納できるので、収納効率がよくなる。
【００４０】
又、このサイドボックス３を上記余剰空間部Ｓに設置した状態では、ボックス本体３０における室内側壁面２２に向く側面部３２は開放されたままであるが、このサイドボックス３を扉板３８の開放側端縁３８ａ（図２及び図４）が室内側壁面２２に近づく状態で設置することにより、各ボックス本体３０，３０における開放側の側面部３２，３２が室内２から見えなくなる。従って、ボックス本体３０，３０における室内側壁面２２に対面する側の側板が無いものであっても、サイドボックス３内に収納される物品が室内から見えなくなる（見栄えが悪くならない）。
【００４１】
又、この実施例のサイドボックス３では、ボックス本体３０における室内側壁面２２に対面する側の側板を省略できるので、ボックス内の収納物品を見えなくできるという機能を確保しつつ該側板部分の資材コストを低減できる。
【００４２】
ところで、この実施例のサイドボックス３は、図１〜図４に示すように、室内壁面２１に沿って設置された壁面家具１の側面１１と室内側壁面２２との間に形成される余剰空間部Ｓに配置して使用するものであるが、該余剰空間部Ｓにサイドボックス３を設置する際には、該サイドボックス３の前面幅（扉幅Ｌ）が余剰空間部Ｓの間口幅Ｗ内にほぼ過不足なしに収容されるようにするのがインテリアデザイン的に好ましい。
【００４３】
ところが、壁面家具１の側面１１と室内側壁面２２との間に形成される余剰空間部Ｓの間口幅Ｗは、顧客による壁面家具設置状況（壁面家具１の側面１１を室内側壁面２２からどれだけ離間させるか）によって異なるものである。
【００４４】
そこで、本願の実施例では、サイドボックス３（上ボックス３Ａ及び下ボックス３Ｂ）の各扉板３８として扉幅Ｌの異なる複数種類のものを準備しておき、顧客の希望（余剰空間部Ｓの間口幅Ｗ）に応じた扉幅Ｌの扉板３８をボックス本体３０に取付け得るようにしている。尚、扉板３８の扉幅Ｌの種類としては、例えば２０cm、３０cm、４０cm、５０cm等の１０cm刻みで数種類のものを用意しておくとよい。
【００４５】
そして、このように扉幅Ｌが異なる複数種類の扉板３８を用意しておくと、顧客の希望（壁面家具１を設置するときの余剰空間部Ｓの間口幅Ｗ）に応じた扉幅Ｌの扉板３８を選択できるので、壁面家具１及びサイドボックス３を見栄えよく設置することができる。
【００４６】
因に、壁面家具側面１１と室内側壁面２２間の余剰空間部Ｓの間口幅が図４において符号Ｗで示す例えば３０cm強の場合は、扉幅Ｌが該間口幅Ｗよりやや狭い３０cm幅の扉板３８を使用するとよく、該間口幅が符号Ｗ′（室内側壁面が符号２２′の位置）で示す例えば５０cm強の場合は、扉幅Ｌ′が該間口幅Ｗ′よりやや狭い５０cm幅の扉板３８を使用するとよい。
【００４７】
このように、余剰空間部Ｓの間口幅（Ｗ，Ｗ′）に応じた扉幅（Ｌ，Ｌ′）の扉板３８を使用すると、該余剰空間部Ｓの間口幅が変化しても、扉板３８の開放側端縁３８ａ（又は３８ａ′）と室内側壁面２２（又は２２′）との間の隙間を常に小さくできるので、インテリアデザイン的な観点からも好ましい形態となる。
【符号の説明】
【００４８】
１は壁面家具、２は室内、３はサイドボックス、３Ａは上ボックス、３Ｂは下ボックス、１１は壁面家具の側面、２１は壁面家具の設置壁面、２２は室内側壁面、３０はボックス本体、３１はボックス本体の前面部、３２はボックス本体の側面部、３３は側板、３４は背板、３８は扉板、Ｓは余剰空間部、Ｗは間口幅、Ｌは扉幅である。
【図１】
0005686667.tif 000002
【図２】
0005686667.tif 000003
【図３】
0005686667.tif 000004
【図４】
0005686667.tif 000005
【図５】
0005686667.tif 000006